(57)【要約】一種の多仕様を混合して使用可能な発光ダイオードチップ駆動方法および駆動装置であって、多仕様を混合して使用可能な発光ダイオードチップ駆動方法は駆動装置に使用されるもので、次のような手順によって実現される。Ａ、駆動装置にあらかじめ異なる複数のプリセット電流値をセットする。Ｂ、一つの発光ダイオードチップを駆動装置につなげる。Ｃ、駆動装置が手順Ａでセット設定したいずれかのプリセット電流値を選ぶ。なお、ここで選んだプリセット電流値は発光ダイオードチップの定格電流に適合したものである。Ｄ、駆動装置が手順Ｃで選択したプリセット電流値の電気エネルギーを発光ダイオードチップに出力する。これにより、この駆動方法および駆動装置をさまざまな仕様の発光ダイオードチップの駆動に使用できるようになる。【選択図】  図２
2016519837.tif 000002
【特許請求の範囲】
【請求項１】
多仕様を混合して使用可能な発光ダイオードチップ駆動方法であって、
Ａ．あらかじめ異なる複数のプリセット電流値をセットする手順と、
Ｂ．一つの発光ダイオードチップを用意する手順と、
Ｃ．手順Ａでセットしたいずれかの前記プリセット電流値を選択する手順であって、前記プリセット電流値を前記発光ダイオードチップの定格電流に適合させる手順と、
Ｄ．手順Ｃで選択した前記プリセット電流値の電気エネルギーを前記発光ダイオードチップに供給するという手順によって実現される、多仕様を混合して使用可能な発光ダイオードチップ駆動方法。
【請求項２】
前記手順Ａでは、それぞれの前記プリセット電流値に対応するように一つのプリセット電圧値を有し、前記手順Ｃでは、一定の電流を前記発光ダイオードチップに送るとともに、前記発光ダイオードチップに送られる電圧値を検知し、検知された電圧値をもとに対象の前記プリセット電圧値に対応する前記プリセット電流値を選定する請求項１に記載の多仕様を混合して使用可能な発光ダイオードチップ駆動方法。
【請求項３】
前記手順Ａでは、それぞれの前記プリセット電流値に対応するように一つのプリセット電圧セクションを有し、前記手順Ｃでは、一定の電流を前記発光ダイオードチップに供給するとともに、前記発光ダイオードチップに供給される電圧値を検知し、検知された電圧値をもとに対象の前記プリセット電圧セクションに対応する前記プリセット電流値を選定する請求項１に記載の多仕様を混合して使用可能な発光ダイオードチップ駆動方法。
【請求項４】
前記手順Ｃで供給される定電流の電流値はこれらの前記プリセット電流値よりも小さいことを特徴とする請求項２または請求項３に記載の多仕様を混合して使用可能な発光ダイオードチップ駆動方法。
【請求項５】
前記手順Ａでは、前記プリセット電圧セクションの一つにはゼロボルトが含まれている請求項３記載の多仕様を混合して使用可能な発光ダイオードチップ駆動方法。
【請求項６】
前記手順Ｄにはさらに前記発光ダイオードチップに供給される電圧値が一つの電圧上限値を超えるのを検知すると、前記発光ダイオードチップに供給される電圧値を前記電圧上限値に保持する仕組みが含まれている請求項１に記載の多仕様を混合して使用可能な発光ダイオードチップ駆動方法。
【請求項７】
発光ダイオードを駆動するための一種の多仕様を混合して使用可能な発光ダイオードチップ駆動装置であって、
電源および発光ダイオードチップと電気的に接続し、前記電源から電気エネルギーを受け取って駆動電圧と駆動電流を前記発光ダイオードチップに送るための駆動ユニットと
前記駆動ユニットと電気的に接続し、前記駆動電圧の電圧値を検知するための電圧検知ユニットと
前記電圧検知ユニットおよび前記駆動ユニットと電気的に接続し、中には異なる複数のプリセット電圧値がセットされており、前記電圧検知ユニットで検知された電圧値に対応する一つの前記プリセット電圧値を提供し、前記プリセット電圧値をもとに前記駆動ユニットを制御して前記駆動電流を前記発光ダイオードチップの定格電流に適合する電流値に保持するフィードバック制御モジュールと、
から構成される、多仕様の発光ダイオードを混合して使用可能な発光ダイオードチップ駆動装置。
【請求項８】
前記プリセット電圧値はさらに複数のプリセット電圧セクションに分かれており、同じプリセット電圧セクションにあるプリセット電圧値は前記駆動ユニットから出力される同じ電流値に対応しており、前記フィードバック制御モジュールは前記電圧検知ユニットで検知された電圧値の対応する一つの前記プリセット電圧値の属する前記プリセット電圧セクションをもとに、前記駆動ユニットを制御して前記駆動電流を前記発光ダイオードチップの定格電流に適合する電流値に保持する請求項７に記載の多仕様を混合して使用可能な発光ダイオードチップ駆動装置。
【請求項９】
前記フィードバック制御モジュールは前記駆動ユニットを制御して前記駆動電流の電流値を一定の目安電流値に保持すると同時に、前記発光ダイオードチップに供給される駆動電圧の電圧値を検知し、検知された電圧値をもとに対応する一つの前記プリセット電圧値を特定する請求項７または請求項８に記載の多仕様を混合して使用可能な発光ダイオードチップ駆動装置。
【請求項１０】
目安電流値が前記発光ダイオードチップの定格電流よりも小さい請求項９に記載の多仕様を混合して使用可能な発光ダイオードチップ駆動装置。
【請求項１１】
前記一つの前記プリセット電圧セクションにはゼロボルトが含まれている請求項８に記載の多仕様を混合して使用可能な発光ダイオードチップ駆動装置。
【請求項１２】
発光ダイオードを駆動するための一種の多仕様を混合して使用可能な発光ダイオードチップ駆動装置であって、
電源および前記発光ダイオードチップと電気的に接続し、前記電源からの電気エネルギーを受け取って前記発光ダイオードチップに一つの駆動電圧と一つの駆動電流を送るための駆動ユニットと
前記駆動ユニットと電気的に接続し、前記駆動電圧の電圧値を検知するための電圧検知ユニットと
フィードバック制御モジュール，前記電圧検知ユニットおよび前記駆動ユニットと電気的に接続し、中には前記プリセット力率値がセットされており、前記電圧検知ユニットで検知された駆動電圧の電圧値および前記プリセット力率値をもとに、前記駆動ユニットを制御して前記駆動電流が発光ダイオードチップの定格電流に適合する電流値に保持するためのフィードバック制御モジュールと、
から構成される、多仕様の発光ダイオードを混合して使用可能な発光ダイオードチップ駆動装置。
【請求項１３】
前記フィードバック制御モジュールは前記駆動ユニットを制御して前記駆動電流の電流値を一つの始動電流値から徐々に上げていくとともに、前記発光ダイオードチップに送られる駆動電圧の電圧値を検知し、前記駆動電圧の電圧値と前記駆動電流の電流値の積を計算し、前記積が前記プリセット力率値に達すると上げるのを止めて前記駆動電流の電流値をその水準に保持できる請求項１２に記載の多仕様を混合して使用可能な発光ダイオードチップ駆動装置。
【請求項１４】
さらに前記駆動ユニット及び前記フィードバック制御モジュールと電気的に接続し、前記駆動電流の電流値を検知するための電流検知ユニットが含まれており、前記フィードバック制御モジュールは検知された前記駆動電流の電流値と検知された前記駆動電圧の電圧値をもとにその積を計算する請求項１３に記載の多仕様を混合して使用可能な発光ダイオードチップ駆動装置。
【請求項１５】
前記駆動ユニットと接続された発光ダイオードチップの定格出力が前記プリセット力率値の９０％〜１１０％の間にある請求項１２に記載の多仕様を混合して使用可能な発光ダイオードチップ駆動装置。
【請求項１６】
前記フィードバック制御モジュールの中には異なる複数の力率値を有し、前記フィードバック制御モジュールと電気的に接続する切替ユニットがあり、前記切替ユニットでは一つの力率値を選ぶことができ、前記プリセット力率値は前記切替ユニットで選んだ前記力率値となっている請求項１２に記載の多仕様を混合して使用可能な発光ダイオードチップ駆動装置。
【発明の詳細な説明】
【技術分野】
【０００１】
本発明は、発光ダイオードの駆動、特に多仕様を混合して使用可能な発光ダイオードチップ駆動方法および駆動装置に関わる。
【背景技術】
【０００２】
発光ダイオード照明装置は一つの発光ダイオードチップと一つの駆動装置を含み、駆動装置は発光ダイオードチップに必要な電気エネルギーを供給するために用いられる。現在市販されている発光ダイオードチップの種類は多種多様である。たとえば次のような５種類の発光ダイオードチップの場合、その仕様は４５Ｖ／５００ｍＡ、３８Ｖ／７００ｍＡ、３４Ｖ／９００ｍＡ、２０Ｖ／１５００ｍＡ、１４Ｖ／１４００ｍＡとそれぞれ異なっており、当然ながら必要とする定格電圧および定格電流もすべて異なっている。これだけの種類の発光ダイオードチップを駆動する駆動方法として、これまで発光ダイオードチップ仕様ごとに専用の駆動装置を開発していた。
しかし、発光ダイオード照明装置メーカーにとっては、このような駆動方法だと駆動装置の種類が大変多く駆動装置の在庫を抱えるだけでなく、量産で価格が決められず、高コストという問題が抱えていた。さまざまな仕様の発光ダイオードチップに対応可能な駆動方法があれば、発光ダイオードチップの駆動装置の在庫問題を解消できるだけでなく、さらに製造コストを抑えることもできる。
【先行技術文献】
【特許文献】
【０００３】
【特許文献１】中国特許公開第１０２４２１２２２号
【発明の概要】
【０００４】
本発明の主な目的は、異なる仕様の発光ダイオードチップの駆動に応用可能な発光ダイオードチップ駆動方法および駆動装置を提供することである。
【課題を解決するための手段】
【０００５】
上記目的を達成するため、本発明の目的および技術的な課題の解決は、以下の技術的な手段により実現されている。本発明により提供される多仕様を混合して使用可能な一種の発光ダイオードチップ駆動方法であって、その手順は次の通りとする。
Ａ．あらかじめ異なる複数のプリセット電流値をセットする。
Ｂ．一つの発光ダイオードチップを用意する。
Ｃ．手順Ａでセットしたいずれかのプリセット電流値を選ぶ。なお、ここで選んだプリセット電流値は発光ダイオードチップの定格電流に適合する必要がある。
Ｄ．手順Ｃで選択したプリセット電流値の電気エネルギーを発光ダイオードチップに供給する。
本発明の目的および技術的な課題の解決は、さらに以下の技術的な手段でも実現することができる。多仕様を混合して使用可能な発光ダイオードチップ駆動方法であって、このうち手順Ａでは、それぞれのプリセット電流値に対応するように一つのプリセット電圧値がある。手順Ｃでは、一定の電流を発光ダイオードチップに送るとともに、発光ダイオードチップに送られる電圧値を検知し、検知された電圧値をもとに対象のプリセット電圧値に対応するプリセット電流値を選定する。
【０００６】
この多仕様を混合して使用可能な発光ダイオードチップ駆動方法の場合、手順Ａおいては、それぞれのプリセット電流値に対応するように一つのプリセット電圧セクションがある。手順Ｃでは、一定の電流を発光ダイオードチップに供給するとともに、発光ダイオードチップに供給される電圧値を検知し、検知された電圧値をもとに対象のプリセット電圧セクションに対応するプリセット電流値を選定する。
【０００７】
多仕様を混合して使用可能な発光ダイオードチップ駆動方法の場合、手順Ｃで供給される定電流の電流値はこれらのプリセット電流値よりも小さい。
【０００８】
多仕様を混合して使用可能な発光ダイオードチップ駆動方法の場合、手順Ａでは、このうち一つのプリセット電圧セクションにはゼロボルトが含まれている。
【０００９】
多仕様を混合して使用可能な発光ダイオードチップ駆動方法の場合、手順Ｄにはさらに発光ダイオードチップに供給される電圧値が一つの電圧上限値を超えるのを検知すると、発光ダイオードチップに供給される電圧値をこの電圧上限値に保持する仕組みが含まれている。
【００１０】
本発明の目的および技術的な課題の解決は、さらに以下の技術的な手段でも実現することができる。本発明に基づき提供する発光ダイオードチップ駆動用の多仕様を混合して使用可能な発光ダイオードチップ駆動装置は、次のものから構成される。電源および発光ダイオードチップと電気的に接続し、電源から電気エネルギーを受け取って駆動電圧と駆動電流を発光ダイオードチップに送るための駆動ユニット、駆動ユニットと電気的に接続し、駆動電圧の電圧値を検知するための電圧検知ユニット、および電圧検知ユニットおよび駆動ユニットと電気的に接続し、中には異なる複数のプリセット電圧値がセットされており、電圧検知ユニットで検知された電圧値に対応する一つのプリセット電圧値を提供し、このプリセット電圧値をもとに駆動ユニットを制御して駆動電流を発光ダイオードチップの定格電流に適合する電流値に保持するフィードバック制御モジュール、とから構成される。
【００１１】
本発明の目的および技術的な課題の解決は、さらに以下の技術的な手段でも実現することができる。
多仕様を混合して使用可能な発光ダイオードチップ駆動装置の場合、これらのプリセット電圧値はさらに複数のプリセット電圧セクションに分かれており、同じのプリセット電圧セクションにあるプリセット電圧値は駆動ユニットから出力される同じ電流値に対応する。フィードバック制御モジュールは電圧検知ユニットで検知された電圧値の対応する一つのプリセット電圧値の属するプリセット電圧セクションをもとに、駆動ユニットを制御して駆動電流を発光ダイオードチップの定格電流に適合する電流値に保持する。
【００１２】
多仕様を混合して使用可能な発光ダイオードチップ駆動装置の場合、このうちフィードバック制御モジュールは駆動ユニットを制御して駆動電流の電流値を一定の目安電流値に保持すると同時に、発光ダイオードチップに供給される駆動電圧の電圧値を検知し、検知された電圧値をもとに対応する一つのプリセット電圧値を特定する。
【００１３】
多仕様を混合して使用可能な発光ダイオードチップ駆動装置の場合、目安電流値が発光ダイオードチップの定格電流よりも小さい。
【００１４】
多仕様を混合して使用可能な発光ダイオードチップ駆動装置の場合、そのうち一つのプリセット電圧セクションにはゼロボルトが含まれている。
【００１５】
本発明の目的および技術的な課題の解決は、さらに以下の技術的な手段でも実現することができる。本発明によって提供される発光ダイオードチップを駆動するための一種の多仕様を混合して使用可能な発光ダイオードチップ駆動装置であって、次のものから構成される。電源および発光ダイオードチップと電気的に接続し、電源からの電気エネルギーを受け取って発光ダイオードチップに一つの駆動電圧と一つの駆動電流を送るための駆動ユニット。駆動ユニットと電気的に接続し、駆動電圧の電圧値を検知するための電圧検知ユニット。および電圧検知ユニットおよび駆動ユニットと電気的に接続し、中にはプリセット力率値がセットされており、電圧検知ユニットで検知された駆動電圧の電圧値およびプリセット力率値をもとに、駆動ユニットを制御して駆動電流を発光ダイオードチップの定格電流に適合する電流値に保持するためのフィードバック制御モジュール。
【００１６】
本発明の目的および技術的な課題の解決は、さらに以下の技術的な手段でも実現することができる。多仕様を混合して使用可能な発光ダイオードチップ駆動装置の場合、フィードバック制御モジュールは駆動ユニットを制御して駆動電流の電流値を一つの始動電流値から徐々に上げていくとともに、発光ダイオードチップに送られる駆動電圧の電圧値を検知し、駆動電圧の電圧値と駆動電流の電流値の積を計算し、この積がプリセット力率値に達すると上げるのを止めて駆動電流の電流値をその水準に保持できる。
【００１７】
多仕様を混合して使用可能な発光ダイオードチップ駆動装置の場合、さらに駆動ユニットやフィードバック制御モジュールと電気的に接続し、駆動電流の電流値を検知するための電流検知ユニットを含む。フィードバック制御モジュールは検知された駆動電流の電流値と検知された駆動電圧の電圧値をもとにその積を計算する。
【００１８】
多仕様を混合して使用可能な発光ダイオードチップ駆動装置の場合、駆動ユニットと接続された発光ダイオードチップの定格出力がプリセット力率値の９０％〜１１０％の間である。
【００１９】
多仕様を混合して使用可能な発光ダイオードチップ駆動装置の場合、フィードバック制御モジュールの中には異なる複数の力率値がある。フィードバック制御モジュールと電気的に接続する切替ユニットがあり、この切替ユニットでは一つの力率値を選ぶことができ、しかもプリセット力率値は切替ユニットで選んだ力率値となっている。
【００２０】
本発明は従来の技術的な手段に比べ、明らかなメリットとプラス効果がある。上記のような技術的な手段を採用した本発明の多仕様を混合して使用可能な発光ダイオードチップ駆動方法および駆動装置は少なくとも次のようなメリットと効果がある：本発明で公開したこの多仕様を混合して使用可能な発光ダイオードチップ駆動方法および駆動装置は、仕様の異なる様々な発光ダイオードチップを駆動でき、一つの仕様の発光ダイオードチップしか対応できなかった従来の一般的な駆動装置の欠点を改善した。
【００２１】
なお、上記説明はあくまでも本発明の技術的な手段を明らかにするものであって、本発明の技術的な手段をよりはっきりと理解し、取扱説明書の記載に従って実施し、さらに本発明の上記およびその他の目的、特徴およびメリットをよりわかりやすくするために、推奨する実施例について図面を参照しつつ詳細に説明する。
【図面の簡単な説明】
【００２２】
【図１】本発明の第１実施例において応用される駆動装置のブロック図である。
【図２】本発明の第１実施例のフローチャートである。
【図３】本発明の第１実施例の駆動装置の出力特性を示す説明図である。
【図４】本発明の第２実施例のフローチャートである。
【図５】本発明の第２実施例の駆動装置の出力特性を示す説明図である。
【図６】本発明の第３実施例において応用される駆動装置のブロック図である。
【図７】本発明の第３実施例の別の実施形態を示す説明図である。
【発明を実施するための形態】
【００２３】
本発明が意図された発明目的を達成するために採用した技術手段および効果をよりはっきりと理解できるよう、実施例と図面を併用して本発明における多仕様を混合して使用可能な発光ダイオードチップ駆動方法および駆動装置の具体的な実施形態、構造、特徴およびその効果について詳しく説明する。
【００２４】
図１は本発明の第１実施例において応用される駆動装置のブロック図である。このうち、駆動装置１は、一つの駆動ユニット１０、一つの電圧検知ユニット２０、一つの演算ユニット３０および一つの制御ユニット４０から構成されている。
【００２５】
駆動ユニット１０は一つの電源５０および一つの発光ダイオードチップ６０と電気的に接続し、電源５０からの電気エネルギーを受け取って発光ダイオードチップ６０に一つの駆動電圧と一つの駆動電流を送るために用いられる。駆動ユニット１０は制御可能な状態で駆動電圧の電圧値と駆動電流の電流値とを変えることができる。実際では、駆動ユニット１０はＰＷＭ、ハーフブリッジ式、Ｂｕｃｋ、Ｂｏｏｓｔ等のタイプの電気回路をベースに設計されたものでも構わない。
【００２６】
電圧検知ユニット２０は駆動ユニット１０と電気的に接続し、駆動ユニット１０から発光ダイオードチップ６０に供給される駆動電圧の電圧値を検知するために用いられる。演算ユニット３０は電圧検知ユニット２０と電気的に接続し、しかも制御ユニット４０を介して駆動ユニット１０と電気的に接続している。第１実施例では、演算ユニット３０は一つのメモリー３０２を備える。
【００２７】
これにより、駆動装置１を利用することで、第１実施例の発光ダイオードチップ駆動方法を実現することができる。次に、駆動装置１を利用して異なる五種類の発光ダイオードチップ６０を駆動した場合を例にして説明する。５種類の発光ダイオードチップ６０に必要な定格電圧および定格電流はそれぞれ次の通りである：４５Ｖ／５００ｍＡ、３８Ｖ／７００ｍＡ、３４Ｖ／９００ｍＡ、２０Ｖ／１５００ｍＡ、１４Ｖ／１４００ｍＡ。
【００２８】
この発光ダイオードチップ駆動方法を実行する前に、まず目安電流値で操作する時の各発光ダイオードチップ６０の対応する電圧値を測定する。なお、ここでいう目安電流値はこれらの発光ダイオードチップ６０の定格電流よりも小さく、いずれも定電流である。よってこの目安電流値で操作する時の発光ダイオードチップ６０の対応する電圧値を一つのプリセット電圧値とし、この異なる５種類の発光ダイオードチップ６０はそれぞれ異なるプリセット電圧値に対応している。
【００２９】
発光ダイオードチップ駆動方法は図２に示す次に掲げる手順を含む：
Ａ．演算ユニット３０のメモリー３０２の中にあらかじめ一つのデータベースを構築し、データベースにはこれらの発光ダイオードチップ６０のプリセット電圧値と電流パラメータが含まれており、各プリセット電圧値はそれぞれの電流パラメータに対応する。このうち、演算ユニット３０は一つの電流パラメータを利用して制御ユニット４０を制御して一つの対応する電流制御信号を駆動ユニット１０に出力させることで、駆動ユニット１０の出力する駆動電流の電流値を一つの特定のプリセット電流値に保持している。これにより、駆動装置１にあらかじめ異なる複数のプリセット電流値をセットし、しかも各プリセット電流値をそれぞれのプリセット電圧値に対応させることができる。これらのプリセット電流値は発光ダイオードチップ６０の定格電流に適合している。
Ｂ．上記５種類のいずれか一つの規格に適合する発光ダイオードチップ６０を駆動ユニット１０と接続する。
Ｃ．データベース内のいずれか一つのプリセット電流値を選び、しかも選ばれたプリセット電流値は手順Ｂによって提供された発光ダイオードチップ６０の定格電流に適合する。第１実施例では、演算ユニット３０は制御ユニット４０を介して電流制御信号を送信して駆動ユニット１０を制御し、駆動ユニット１０から発光ダイオードチップ６０に出力される駆動電流の電流値が目安電流値になるようにするほか、演算ユニット３０はさらに電圧検知ユニット２０を利用して駆動電圧の電圧値を検知する。次に、検知された電圧値をデータベースのこれらのプリセット電圧値と照合し、検知された電圧値に適合した一つのプリセット電圧値に対応する電流パラメータを選定し、これに対応するプリセット電流値を特定する。
Ｄ．演算ユニット３０は手順Ｃで選定した電流パラメータを利用して制御ユニット４０を制御して対応する電流制御信号を駆動ユニット１０に出力させることで、駆動電流の電流値を対応するプリセット電流値に保持する。これにより、発光ダイオードチップ６０に必要な定格電流を供給している。一方で駆動ユニット１０は接続された発光ダイオードチップ６０の属性をもとに出力される駆動電圧の電圧値を自動的に調整し、接続された発光ダイオードチップ６０の仕様に適合した電気エネルギーを供給している。図３に示すように、駆動装置１はこの５種類の発光ダイオードチップ６０であれば、どれでもその仕様に適合した駆動電流および駆動電圧を提供することができる。
【００３０】
上記駆動方法では、駆動装置１は、同じ仕様の発光ダイオードチップ６０と接続すれば、接続された発光ダイオードチップ６０の定格電流を自動的に検知し、必要な電気エネルギーを提供することができ、これにより異なる仕様の発光ダイオードチップ６０の混用を実現している。
【００３１】
第１実施例では、プリセットされた各プリセット電流値はプリセット電圧値に対応している。駆動装置１を使用できる発光ダイオードチップの種類を増やしたい時は、第２実施例では、各プリセット電流値が一つのプリセット電圧セクションに対応する設計を採ることもできる。
【００３２】
図４は、第２実施例の発光ダイオードチップ駆動方法のフローチャートで、上記第１実施例とほぼ同じ手順を有するが、異なる点は次の通りである。
【００３３】
手順Ａでは、データベースにはあらかじめ異なる複数のプリセット電圧セクションと電流パラメータとが含まれている。各プリセット電圧セクションはいずれか一つの電流パラメータに対応し、これにより、駆動装置１には異なる複数のプリセット電流値がプリセットされ、しかもどのプリセット電流値にも対応するプリセット電圧セクションが存在している。
【００３４】
手順Ｃでは、駆動ユニット１０を制御して発光ダイオードチップ６０に出力する駆動電流の電流値は目安電流値で、同時に駆動電圧の電圧値を検知し、検知された電圧値が対応するプリセット電圧セクションの範囲内にある場合、データベースにあるプリセット電圧セクションに対応する電流パラメータを選定し、これをもとに対応するプリセット電流値を特定する。
【００３５】
次に、駆動ユニット１０を制御して駆動電流の電流値を対応するプリセット電流値に保持することで、発光ダイオードチップ６０に必要な定格電流を提供する。駆動ユニット１０は接続された発光ダイオードチップ６０の属性をもとに出力する駆動電圧の電圧値を自動的に調整して接続された発光ダイオードチップ６０の仕様に適合した電気エネルギーを提供できるようにする。
【００３６】
本実施例では、駆動装置１の出力曲線は図５に示すように、上記実施例１の５種類の仕様の発光ダイオードチップ６０に適用されるほか、発光ダイオードチップ６０の定格電流が図５に示す五つの電流値に適合し、しかも定格電圧が対応する電圧セクション内にあれば、いずれも駆動装置を使用することができる。これにより駆動装置１はさまざまなタイプの発光ダイオードチップ６０の駆動に活用することができる。
【００３７】
また、第２実施例では、データベースに含まれる一つのプリセット電圧セクションにはゼロボルトが含まれており、言い換えれば、手順Ｃで検知された駆動電圧の電圧値がゼロボルトの時でも、対応する一つのプリセット電流値が存在する。これにより、接続された発光ダイオードチップ６０がショートすると、駆動電流の電流値をきちんと制限して駆動電流の電流値の上昇による駆動ユニット１０の破損を防ぐことができる。
【００３８】
第２実施例において、手順Ｄはさらに次のものを含む。演算ユニット３０は電圧検知ユニット２０が検知する電圧値が一つの電圧上限値を超えるのを検知すると、制御ユニット４０が駆動ユニット１０に一つの電圧制限信号を送信して発光ダイオードチップ６０に送られる駆動電圧の電圧値が電圧上限値になるように制限する。これにより、駆動ユニット１０から出力される駆動電圧の上昇による発光ダイオードチップ６０または駆動ユニット１０の破損を防ぐことができる。
【００３９】
上記第１及び第２実施例において、手順Ａでは、データベースのプリセット電圧値、電流パラメータおよびプリセット電圧セクションは演算ユニット３０のメモリー３０２に記憶されているが、実際の場合、演算ユニット３０はコンパレータ回路でも構わない。手順Ｃでは、コンパレータ回路で識別測定された駆動電圧の電圧値に対応するプリセット電圧値またはプリセット電圧セクションをもとに、コンパレータ回路が対応する電圧値を制御ユニットに出力する。制御ユニットは電圧値の大きさに応じて対応する電流制御信号を生成して駆動ユニット１０に送信して対応するプリセット電流値を取得する。
【００４０】
図６は、第３実施例の多仕様を混合して使用可能な発光ダイオードチップ駆動方法を応用した駆動装置のブロック図である。このうち駆動装置２は一つの駆動ユニット７０、一つの電圧検知ユニット７２、一つの電流検知ユニット７４、一つのフィードバック制御モジュール７６から構成されている。
【００４１】
駆動ユニット７０は電源５０および発光ダイオードチップ６０と電気的に接続し、電源５０からの電気エネルギーを受け取って発光ダイオードチップ６０に一つの駆動電圧と一つの駆動電流を送るために用いられる。駆動ユニット７０は制御可能な状態で駆動電圧の電圧値と駆動電流の電流値とを変えることができる。
【００４２】
電圧検知ユニット７２は駆動ユニット７０と電気的に接続し、駆動ユニット７０から発光ダイオードチップ６０に送られる駆動電圧の電圧値を検知するために用いられる。電流検知ユニット７４は駆動ユニット７０と電気的に接続し、駆動ユニット７０から発光ダイオードチップ６０に送られる駆動電流の電流値を検知するために用いられる。
【００４３】
フィードバック制御モジュール７６は互いに電気的に接続された一つの演算ユニット７８と一つの制御ユニット８０とから構成される。演算ユニット７８は電圧検知ユニット７２および電流検知ユニット７４と電気的に接続し、制御ユニット８０は駆動ユニット７０と電気的に接続する。演算ユニット７８の中には一つのプリセット力率値があり、駆動ユニット７０に接続された発光ダイオードチップ６０の定格出力はこのプリセット力率値と同じか、もしくはこれに近い数値である必要があり、可能であれば、使用される発光ダイオードチップ６０の定格出力がプリセット力率値の９０％〜１１０％の間にあることが望ましい。
【００４４】
演算ユニット７８は電圧検知ユニット７２によって検知される駆動電圧の電圧値およびプリセット力率値をもとに計算を行い、発光ダイオードチップ６０に必要な一つの動作電流値を算出する。なお、ここでいう動作電流値は、接続された発光ダイオードチップ６０の定格電流に適合する電流である。演算ユニット７８は制御ユニット８０を利用して一つの電流制御信号を駆動ユニット７０に送って駆動電流の電流値が動作電流値になるように保持する。
【００４５】
第３実施例では、演算ユニット７８は制御ユニット８０を通じて電流制御信号を送信して駆動ユニット７０を制御し、駆動ユニット７０から出力される駆動電流の電流値を動作電流値より小さい始動電流値から徐々に上げていく。それととともに、演算ユニット７８が電圧検知ユニット７２および電流検知ユニット７４を利用して駆動電圧の電圧値および駆動電流の電流値を検知する。これをもとに駆動電圧の電圧値と駆動電流の電流値との積（即ち発光ダイオードチップ６０にかかる駆動電力）を算出する。よりわかりやすく説明すると、駆動ユニット７０の供給する駆動電流の電流値が上昇すると、発光ダイオードチップ６０に供給される駆動電圧の電圧値も上昇するため、発光ダイオードチップ６０にかかる駆動電力もこれに合わせて上昇する。発光ダイオードチップ６０にかかる駆動電力がプリセット力率値に達するとこの駆動電流の電流値の上昇が停止し、この時の駆動電流の電流値が動作電流値となる。これにより、発光ダイオードチップ６０に必要な動作電流値を獲得することができる。実際では、動作電流値を計算で求めるほかに、工場出荷前に複数の発光ダイオードチップを始動電流値で操作する時の電圧値を測定してから、検知された電圧値とこれらの発光ダイオードチップとの対応関係をデータベースにて構築する。これにより発光ダイオードチップ６０が駆動ユニット７０と接続した後、始動電流値を送って、対応する電圧値を測定し、測定で得られた電圧値をもとにデータベースから必要な動作電流値を選出する方法を採っても構わない。
【００４６】
演算ユニット７８は制御ユニット８０を介して電流制御信号を送信して駆動ユニット７０を制御して駆動電流の電流値を発光ダイオードチップ６０に必要な動作電流値に保持する。こうすることで、プリセット力率値に適合した駆動電力を発光ダイオードチップ６０に供給し、発光ダイオードチップ６０を定格出力の状態にしている。すなわち、この時の駆動電圧の電圧値と駆動電流の電流値の積が設定されたプリセット力率値に保持されることになる。
【００４７】
上記を要約すると、駆動装置２を利用することで、接続された発光ダイオードチップ６０をプリセット力率値に保持するために必要な動作電流値を自動的に測定することが可能となり、たとえ定格電圧および定格電流の異なる発光ダイオードチップ６０に変えても、その定格出力がプリセット力率値と同じまたは近いものであれば、いずれも駆動装置２を使用することができる。駆動装置２は特定の定格電圧および定格電流の発光ダイオードチップにとらわれないため、これまで１種類の発光ダイオードチップにしか使えなかった従来の一般的な駆動装置の欠点を解消した。
【００４８】
図７に示すように、第３実施例では、駆動装置２にさらに演算ユニット７８と電気的に接続する一つの切替ユニット８２を増設することもでき、演算ユニット７８には異なる複数の力率値がプリセットされており、切替ユニット８２を通じてこれらの力率値のいずれかをプリセット力率値に指定することができる。これにより、駆動装置２は定格出力の異なる発光ダイオードチップ６０でも支障なく駆動できるようになる。実際では、切替ユニット８２を使用者がスイッチを切り替えるだけでプリセット力率値を設定できるスイッチ仕様に設計しても構わない。
【００４９】
このような多仕様を混合して使用可能な発光ダイオードチップ駆動方法および駆動装置を採用することで、特定の定格電圧および定格電流の発光ダイオードチップにとらわれることなく、さまざまな仕様の発光ダイオードチップを駆動できるようになり、これまで１種類の発光ダイオードチップにしか使えなかった従来の一般的な駆動装置の欠点を解消した。
【００５０】
上記実施例はあくまでも本発明の推奨する実施態様にすぎず、本発明に対する何らかの形式的な制限とならない。本発明では、推奨する実施態様を上記通りに開示したものの、決してその技術的な範囲を画するものではなく、この分野に詳しい如何なる技術者も、本発明の技術的な解決手段を逸脱しない範囲内において、上記の方法および技術的手段を利用して些かな変更または修正により同じ効果を持つ別の実施例を作り上げることができるが、おおよそ本発明の技術的な手段を逸脱しない内容で、上記実施形態に加えるあらゆる実質上の簡単な変更、同等な変化および改良は、いずれも本発明の技術的範囲に含まれる。
【産業上の利用可能性】
【００５１】
本発明は、一種の多仕様を混合して使用可能な発光ダイオードチップ駆動方法および駆動装置に関わる。本発明の多仕様を混合して使用可能な発光ダイオードチップ駆動方法は駆動装置に使用されるもので、次のような手順によって実現される。Ａ．駆動装置にあらかじめ異なる複数のプリセット電流値をセットする。Ｂ．一つの発光ダイオードチップを駆動装置につなげる。Ｃ．駆動装置が手順Ａでセット設定したいずれかのプリセット電流値を選ぶ。なお、ここで選んだプリセット電流値は発光ダイオードチップの定格電流に適合したものである。Ｄ．駆動装置が手順Ｃで選択したプリセット電流値の電気エネルギーを発光ダイオードチップに出力する。これにより、この駆動方法および駆動装置をさまざまな仕様の発光ダイオードチップの駆動に使用できるようになる。
【符号の説明】
【００５２】
１、２  …  駆動装置
１０、７０  …  駆動ユニット
２０、７２  …  電圧検知ユニット
３０、７８  …  演算ユニット
４０、８０  …  制御ユニット
５０  …  電源
６０  …  発光ダイオードチップ
３０２  …  メモリー
７４  …  電流検知ユニット
７６  …  フィードバック制御モジュール
８２  …  切替ユニット
【図１】
2016519837.tif 000003
【図２】
2016519837.tif 000004
【図３】
2016519837.tif 000005
【図４】
2016519837.tif 000006
【図５】
2016519837.tif 000007
【図６】
2016519837.tif 000008
【図７】
2016519837.tif 000009
【国際調査報告】
2016519837.tif 000010
2016519837.tif 000011
2016519837.tif 000012
2016519837.tif 000013
2016519837.tif 000014
2016519837.tif 000015